(57)【要約】【課題】立体性の商品が入れやすく、しかも立体性の商品を入れた後は形状の通りの収容ができ、落下する危険性が皆無であると共に、商品包装袋の作成コストを極めて低廉とすることのでき、しかも展示、陳列時には吊し販売にも、棚置き販売にも適する商品包装袋を提供する。【解決手段】上部ヘッダーと、上部ヘッダーの下部に吊持されたフィルム製袋体とからな商品包装袋において、前記フィルム製袋体は底部に底部ガゼットを設けると共に、フィルム製袋体の上部両側部に形成した傾斜溶断部両側部に上部ガゼット部を形成し、、且つ上部ガゼット部の厚みの中央部に形成した吊り片と前記上部ヘッダーとを連設し、更にこの吊り片の片側より蓋フイルムを延出させた。【選択図】図１
0003126726.tif 000002
【実用新案登録請求の範囲】
【請求項１】
上部ヘッダーと、上部ヘッダーの下部に吊持されたフィルム製袋体とからな商品包装袋において、前記フィルム製袋体は底部に底部ガゼットを設けると共に、フィルム製袋体の上部両側部に形成した傾斜溶断部両側部に上部ガゼット部を形成し、、且つ上部ガゼット部の厚みの中央部に形成した吊り片と前記上部ヘッダーとを連設し、更にこの吊り片の片側より蓋フイルムを延出させたことを特徴するプラスチックフィルム製の商品包装袋。
【請求項２】
プラスチックフィルム製の商品包装袋の上方及び底部に、それぞれ形成した上部ガゼット部と、底部ガゼッとの厚みをほぼ同幅に形成した請求項１記載のプラスチックフィルム製の商品包装袋。
【考案の詳細な説明】
【考案の詳細な説明】
【技術分野】
【０００１】この考案は、商品展示用として、各種下着、石鹸、弁当箱、コップ、カセットテープ、電子部品等々のような嵩張りのある立体性の内容物を袋体内部にほぼ一杯に詰め込まれるように、商品を入れ易くしたプラスチックフィルム製の商品包装袋に関する。
【背景技術】
【０００２】従来は、商品展示用として、石鹸、弁当箱のような嵩張りのある立体性の内容物が袋体内部にほぼ一杯に詰め込まれるようなプラスチックフィルム製の商品包装袋では、上部に上部ガゼット部を有するようなプラスチックフィルム製の袋体では、その下部より立体性の内容物を入れる方式のものがあった。（例えば、特許文献１参照）
又、袋体の上方から立体性の内容物が袋体内部を入れるものとして、上部にガゼット部のない上部開口部がヘッダーの下縁近接位置に設けられるものがあった。（例えば特許文献２参照）【０００３】
【特許文献１】登録実用新案第２５２１１７１号
【０００４】
【特許文献２】登録実用新案第３０９５７８６号
【考案の解決しようとする課題】
【０００５】しかし、上記特許文献１では、下方より嵩張りのある立体性の内容物を入れるようにしてあるため、仮に下部に接着テープ、ボタン、ホックにて閉止されていたとしても、これらの係止具が完全に機能してない場合には常に内容物が落下する危険性がある。更に、袋体の製作作業とは別に、前記のような係止具を装着する作業が必要でありコスト高になることは避けられない。
【０００６】又、特許文献２に示すものでは、ヘッダー部の横幅が下部袋体の横幅より小さい、いわゆる肩落ちタイプのプラスチックフィルム製の商品包装袋は、上方から立体性の内容物が袋体内部を入れる商品包装袋では、上方開口部が上部ヘッダーに近接して開口部が形成されているようなプラスチックフィルム製の商品包装袋では、上部ガゼット部がないために、立体性の商品を入れる際に、大きく開口しないので立体性収容物を入れることは極めて困難となる傾向がある。
仮に開口部から立体性収容物が入った場合でも、開口部両端が強く引っ張られることから、商品包装袋が開口部の両端から破損する危険性がある。
【０００７】従って、本考案の目的とするところは、嵩張りのある立体性の内容物が入れやすく、しかも立体性の内容物を入れた後は形状の通り収容でき、落下する危険性が皆無であると共に、商品包装袋の作成コストを極めて低廉とすることのでき、しかも上記のような欠点のないプラスチックフィルム製の商品包装袋を提供することである。
【課題を解決するための手段】
【０００８】本考案は、上記の問題点に鑑み、上部ヘッダーと、上部ヘッダーの下部に吊持されたフィルム製袋体とからな商品包装袋において、前記フィルム製袋体は底部に底部ガゼットを設けると共に、フィルム製袋体の上部両側部に形成した傾斜溶断部両側部に上部ガゼット部を形成し、、且つ上部ガゼット部の厚みの中央部に形成した吊り片と前記上部ヘッダーとを連設し、更にこの吊り片の片側より蓋フイルムを延出させてプラスチックフィルム製の商品包装袋とした。
【０００９】更に、プラスチックフィルム製の商品包装袋の上方及び底部に、それぞれ形成した上部ガゼット部と、底部ガゼッとは、その厚みをほぼ均等に形成してある。
【考案を実施するための最良の形態】
【実施例１】
【００１０】この考案のプラスチックフィルム製の商品包装袋ａは、上部ヘッダー１とプラスチックフィルム製の袋体５とからなっている。上部ヘッダー１は、内部にプラスチック板又は紙板を芯材２とし、該芯材をプラスチックフイルムで被覆してなり、その横幅の中央部には掛け止め孔３が形成されている。この上部ヘッダー１の下部に設けられた吊り片４を介して吊持されたプラスチックフィルム製の袋体５とが連設されている。【００１１】図１には、上部ヘッダー１の横幅よりフィルム製袋体５の横幅を大きくして、上部ヘッダーの下端部とフィルム製袋体５の上端部とを熔断することによって、上部ヘッダー１の端部よりフィルム製袋体５本体の横幅端部に向かって下方に広がるような熔着傾斜側縁部６、６を形成するいわゆる肩落ちタイプ型のプラスチックフィルム製の商品包装袋ａを図示してある。【００１２】前記プラスチックフィルム製のフィルム製袋体５は、その底部には底部ガゼット部７、７を設けると共に、フィルム製袋体５の上部両側部に形成した熔着傾斜側縁部６、６に上部ガゼット部８、８を形成し、且つ上部ガゼット部８、８の厚みの中央部には、前記上部ヘッダー１の下部と、プラスチックフィルム製のフィルム製袋体５とは吊り片４を介して連設してあるあるものである。しかも、上記底部ガゼット部７、７むき厚みと、上部ガゼット部８、８の厚みとはほぼ同幅としてある。上述のガゼット部は通常マチ部とも称され、特に紙製、プラスチック製、布製又は革製の袋物内部の容積を大きくするための褶曲部である。【００１３】上部ヘッダー１と吊り片４との境界は熔着部１３によって連結しており、吊り片４は、二層のプラスチックフイルムにより構成され、この吊り片４の一側はプラスチックフイルム層はフィルム製袋体５の背部に連続すると共に、吊り片４の他側は蓋フイルム９に連続して延出させてある。【００１４】プラスチックフィルム製のフィルム製袋体５の熔着傾斜側縁部６、６の下端７のやや下方には片側にのみ開口部１０を形成すると共に、熔着傾斜側縁部６、６の下端７より蓋フイルム９を前記片側に開口部１０及び片側に開口部１０のやや下部を覆うように延設してある。蓋フイルム９は開口部１０の下方部において、その内側面に幅方向のほぼ全長にわたって帯状の接着層１３を形成してある。蓋フイルム９に設けられた接着層１１はフィルムの開口部１０の下方部に接着され開口部１０を密閉することになる。【００１５】商品の袋詰め作業の際に、蓋フイルム９の内側に形成された接着層１１の接着作業を簡素化するべく、予め接着層１１の離型テープ１２を剥離自在に仮止めしてあるので、作業者は、プラスチックフィルム製のフィルム製袋体５の内部に立体性商品ｂを入れた後には、蓋フイルム９の内側に設けられた蓋フイルム９をやや下方に牽引しながら離型テープ１２を剥離するのみで、プラスチックフィルム製のフィルム製袋体５の密閉作業完了することになる。【００１６】プラスチックフィルム製のフィルム製袋体５の内部に立体性商品ｂを入れる際には、本件考案のプラスチックフィルム製の商品包装袋では上部ガゼットを広く開口できるので、商品の袋詰め作業が極めて迅速且つ、簡略化されることになる。【００１７】上述のように、上方及び底部にそれぞれ形成した上部ガゼット部８、８と、底部ガゼッと７、７の厚みをほぼ均等幅に形成してあるから、プラスチックフィルム製のフィルム製袋体５の内部に立体性商品ｂを入れた際には、プラスチックフィルム製のフィルム製袋体５の外装に型崩れが生じず、内部の立体性商品ｂはあるがままの姿で透視ができる。
【考案の効果】
【００１８】プラスチックフィルム製の商品包袋では、上部ヘッダーと、上部ヘッダーの下部に吊持されたフィルム製袋体とからな商品包装袋において、前記フィルム製袋体は底部に底部ガゼットを設けると共に、フィルム製袋体の上部両側部に形成した傾斜溶断部両側部に上部ガゼット部を形成し、且つ上部ガゼット部の厚みの中央部に形成した吊り片と前記上部ヘッダーとを連設してあるため、上方及び底部にそれぞれ上部ガゼット部と、底部ガゼットとを成してあるので、立体性製品を袋詰めする作業の迅速化することができ、且つ上部ガゼット部９と、底部ガゼッとの幅をほぼ均等幅に形成してあるので、プラスチックフィルム製のフィルム製袋体は歪みなく内部の商品をあるがままに収納できることになる。立体性の商品が入れやすく、しかも立体性の商品を入れた後は形状の通りの収容ができ、落下する危険性が皆無であると共に、商品包装袋の作成コストを極めて低廉とすることのでき、しかも展示、陳列時には吊し販売にも、棚置き販売にも適する商品包装袋を提供する。
【図面の簡単な説明】
【００１９】
【図１】商品包装袋の斜視図
【図２】商品包装袋の縦断面図
【図３】商品を包装した状態で示した縦断面図
【図４】蓋フィルムの一部を示した斜視図
【符号の説明】
１．．．上部ヘッダー
２．．．芯材
３．．．掛け止め孔
４．．．吊り片
５．．．プラスチック製の袋体
６．．．熔着傾斜側縁部
７．．．底部ガゼット部
８．．．上部ガゼット部
９．．．蓋フィルム
１０．．開口部
１１．．接着層
１２．．離型テープ
１３．．熔着層
【図１】
0003126726.tif 000003
【図２】
0003126726.tif 000004
【図３】
0003126726.tif 000005
【図４】
0003126726.tif 000006
【手続補正書】
【提出日】平成18年8月9日(2006.8.9)
【手続補正１】
【補正対象書類名】実用新案登録請求の範囲
【補正対象項目名】全文
【補正方法】変更
【補正の内容】
【実用新案登録請求の範囲】
【請求項１】
上部ヘッダーと、上部ヘッダーの下部に吊持されたフィルム製袋体とからな商品包装袋において、前記フィルム製袋体は底部に底部ガゼットを設けると共に、フィルム製袋体の上部両側部に形成した傾斜溶断部両側部に上部ガゼット部を形成し、、且つ上部ガゼット部の厚みの中央部に形成した吊り片と前記上部ヘッダーとを連設し、更にこの吊り片の片側より蓋フィルムを延出させたことを特徴するプラスチックフィルム製の商品包装袋。
【請求項２】
プラスチックフィルム製の商品包装袋の上方及び底部に、それぞれ形成した上部ガゼット部と、底部ガゼットの厚みをほぼ同幅に形成した請求項１記載のプラスチックフィルム製の商品包装袋。
【手続補正２】
【補正対象書類名】明細書
【補正対象項目名】全文
【補正方法】変更
【補正の内容】
【考案の詳細な説明】
【考案の詳細な説明】
【技術分野】
【０００１】この考案は、商品展示用として、各種下着、石鹸、弁当箱、コップ、カセットテープ、電子部品等々のような嵩張りのある立体性の内容物を袋体内部にほぼ一杯に詰め込まれるように、商品を入れ易くしたプラスチックフィルム製の商品包装袋に関する。
【背景技術】
【０００２】従来は、商品展示用として、石鹸、弁当箱のような嵩張りのある立体性の内容物が袋体内部にほぼ一杯に詰め込まれるようなプラスチックフィルム製の商品包装袋では、上部に上部ガゼット部を有するようなプラスチックフィルム製の袋体では、その下部より立体性の内容物を入れる方式のものがあった。（例えば、特許文献１参照）
又、袋体の上方から立体性の内容物が袋体内部を入れるものとして、上部にガゼット部のない上部開口部がヘッダーの下縁近接位置に設けられるものがあった。（例えば特許文献２参照）【０００３】
【特許文献１】登録実用新案第２５２１１７１号
【０００４】
【特許文献２】登録実用新案第３０９５７８６号
【考案の解決しようとする課題】
【０００５】しかし、上記特許文献１では、下方より嵩張りのある立体性の内容物を入れるようにしてあるため、仮に下部に接着テープ、ボタン、ホックにて閉止されていたとしても、これらの係止具が完全に機能してない場合には常に内容物が落下する危険性がある。更に、袋体の製作作業とは別に、前記のような係止具を装着する作業が必要でありコスト高になることは避けられない。
【０００６】又、特許文献２に示すものでは、ヘッダー部の横幅が下部袋体の横幅より小さい、いわゆる肩落ちタイプのプラスチックフィルム製の商品包装袋は、上方から立体性の内容物が袋体内部を入れる商品包装袋では、上方開口部が上部ヘッダーに近接して開口部が形成されているようなプラスチックフィルム製の商品包装袋では、上部ガゼット部がないために、立体性の商品を入れる際に、大きく開口しないので立体性収容物を入れることは極めて困難となる傾向がある。
仮に開口部から立体性収容物が入った場合でも、開口部両端が強く引っ張られることから、商品包装袋が開口部の両端から破損する危険性がある。
【０００７】従って、本考案の目的とするところは、嵩張りのある立体性の内容物が入れやすく、しかも立体性の内容物を入れた後は形状の通り収容でき、落下する危険性が皆無であると共に、商品包装袋の作成コストを極めて低廉とすることのでき、しかも上記のような欠点のないプラスチックフィルム製の商品包装袋を提供することである。
【課題を解決するための手段】
【０００８】本考案は、上記の問題点に鑑み、上部ヘッダーと、上部ヘッダーの下部に吊持されたフィルム製袋体とからな商品包装袋において、前記フィルム製袋体は底部に底部ガゼットを設けると共に、フィルム製袋体の上部両側部に形成した傾斜溶断部両側部に上部ガゼット部を形成し、、且つ上部ガゼット部の厚みの中央部に形成した吊り片と前記上部ヘッダーとを連設し、更にこの吊り片の片側より蓋フイルムを延出させてプラスチックフィルム製の商品包装袋とした。
【０００９】更に、プラスチックフィルム製の商品包装袋の上方及び底部に、それぞれ形成した上部ガゼット部と、底部ガゼットは、その厚みをほぼ均等に形成してある。
【考案を実施するための最良の形態】
【実施例１】
【００１０】この考案のプラスチックフィルム製の商品包装袋ａは、上部ヘッダー１とプラスチックフィルム製の袋体５とからなっている。上部ヘッダー１は、内部にプラスチック板又は紙板を芯材２とし、該芯材をプラスチックフイルムで被覆してなり、その横幅の中央部には掛け止め孔３が形成されている。この上部ヘッダー１の下部に設けられた吊り片４を介して吊持されたプラスチックフィルム製の袋体５とが連設されている。【００１１】図１には、上部ヘッダー１の横幅よりフィルム製袋体５の横幅を大きくして、上部ヘッダーの下端部とフィルム製袋体５の上端部とを熔断することによって、上部ヘッダー１の端部よりフィルム製袋体５本体の横幅端部に向かって下方に広がるような熔着傾斜側縁部６、６を形成するいわゆる肩落ちタイプ型のプラスチックフィルム製の商品包装袋ａを図示してある。【００１２】前記プラスチックフィルム製のフィルム製袋体５は、その底部には底部ガゼット部７、７を設けると共に、フィルム製袋体５の上部両側部に形成した熔着傾斜側縁部６、６に上部ガゼット部８、８を形成し、且つ上部ガゼット部８、８の厚みの中央部には、前記上部ヘッダー１の下部と、プラスチックフィルム製のフィルム製袋体５とは吊り片４を介して連設してあるあるものである。しかも、上記底部ガゼット部７、７むき厚みと、上部ガゼット部８、８の厚みとはほぼ同幅としてある。上述のガゼット部は通常マチ部とも称され、特に紙製、プラスチック製、布製又は革製の袋物内部の容積を大きくするための褶曲部である。【００１３】上部ヘッダー１と吊り片４との境界は熔着部１３によって連結しており、吊り片４は、二層のプラスチックフイルムにより構成され、この吊り片４の一側はプラスチックフイルム層はフィルム製袋体５の背部に連続すると共に、吊り片４の他側は蓋フイルム９に連続して延出させてある。【００１４】プラスチックフィルム製のフィルム製袋体５の熔着傾斜側縁部６、６の下端７のやや下方には片側にのみ開口部１０を形成すると共に、熔着傾斜側縁部６、６の下端７より蓋フイルム９を前記片側に開口部１０及び片側に開口部１０のやや下部を覆うように延設してある。蓋フイルム９は開口部１０の下方部において、その内側面に幅方向のほぼ全長にわたって帯状の接着層１３を形成してある。蓋フイルム９に設けられた接着層１１はフィルムの開口部１０の下方部に接着され開口部１０を密閉することになる。【００１５】商品の袋詰め作業の際に、蓋フイルム９の内側に形成された接着層１１の接着作業を簡素化するべく、予め接着層１１の離型テープ１２を剥離自在に仮止めしてあるので、作業者は、プラスチックフィルム製のフィルム製袋体５の内部に立体性商品ｂを入れた後には、蓋フイルム９の内側に設けられた蓋フイルム９をやや下方に牽引しながら離型テープ１２を剥離するのみで、プラスチックフィルム製のフィルム製袋体５の密閉作業完了することになる。【００１６】プラスチックフィルム製のフィルム製袋体５の内部に立体性商品ｂを入れる際には、本件考案のプラスチックフィルム製の商品包装袋では上部ガゼットを広く開口できるので、商品の袋詰め作業が極めて迅速且つ、簡略化されることになる。【００１７】上述のように、上方及び底部にそれぞれ形成した上部ガゼット部８、８と、底部ガゼット７、７の厚みをほぼ均等幅に形成してあるから、プラスチックフィルム製のフィルム製袋体５の内部に立体性商品ｂを入れた際には、プラスチックフィルム製のフィルム製袋体５の外装に型崩れが生じず、内部の立体性商品ｂはあるがままの姿で透視ができる。
【考案の効果】
【００１８】プラスチックフィルム製の商品包袋では、上部ヘッダーと、上部ヘッダーの下部に吊持されたフィルム製袋体とからな商品包装袋において、前記フィルム製袋体は底部に底部ガゼットを設けると共に、フィルム製袋体の上部両側部に形成した傾斜溶断部両側部に上部ガゼット部を形成し、且つ上部ガゼット部の厚みの中央部に形成した吊り片と前記上部ヘッダーとを連設してあるため、上方及び底部にそれぞれ上部ガゼット部と、底部ガゼットとを成してあるので、立体性製品を袋詰めする作業の迅速化することができ、且つ上部ガゼット部９と、底部ガゼットの幅をほぼ均等幅に形成してあるので、プラスチックフィルム製のフィルム製袋体は歪みなく内部の商品をあるがままに収納できることになる。立体性の商品が入れやすく、しかも立体性の商品を入れた後は形状の通りの収容ができ、落下する危険性が皆無であると共に、商品包装袋の作成コストを極めて低廉とすることのでき、しかも展示、陳列時には吊し販売にも、棚置き販売にも適する商品包装袋を提供する。
【図面の簡単な説明】
【００１９】
【図１】商品包装袋の斜視図
【図２】商品包装袋の縦断面図
【図３】商品を包装した状態で示した縦断面図
【図４】蓋フィルムの一部を示した斜視図
【符号の説明】
１．．．上部ヘッダー
２．．．芯材
３．．．掛け止め孔
４．．．吊り片
５．．．プラスチック製の袋体
６．．．熔着傾斜側縁部
７．．．底部ガゼット部
８．．．上部ガゼット部
９．．．蓋フィルム
１０．．開口部
１１．．接着層
１２．．離型テープ
１３．．熔着層